(57)【要約】【課題】高い剛性を備え、軽量化を図ることのできるハーフプレキャストコンクリート部材であって、かつ床版の板厚を減少させると同時に音の伝搬を防ぐことのできるものを提供する。【解決手段】このハーフプレキャスト部材は、主筋が埋設された、平面形状が四角形のコンクリート板と、一部が前記コンクリート板に埋設され、残部が前記コンクリート板の上面から露出している、前記主筋に結合された複数のトラス筋とを含み、前記コンクリート板は、上方へ尖った縦断面形状となるよう、前記四角形の各辺を底辺とした４つの三角形の面をそれぞれ連接してなる上面と、下面とを有する。【選択図】図１
2009221682.tif 000002
【特許請求の範囲】
【請求項１】
主筋が埋設された、平面形状が四角形のコンクリート板と、
一部が前記コンクリート板に埋設され、残部が前記コンクリート板の上面から露出している、前記主筋に結合された複数のトラス筋とを含み、
前記コンクリート板は、上方へ尖った縦断面形状となるよう、前記四角形の各辺を底辺とした４つの三角形の面が連接してなる上面と、下面とを有する、ハーフプレキャストコンクリート部材。
【請求項２】
前記四角形は長方形であり、
前記主筋は、前記長方形の長手方向に向けられており、
また前記主筋の少なくとも１本は、前記４つの三角形の上面のうちの前記長方形の長辺を底辺とした２つの三角形の面のそれぞれの下方に配置されている、請求項１に記載のハーフプレキャストコンクリート部材。
【発明の詳細な説明】
【技術分野】
【０００１】
本発明は、床版に使用されるハーフプレキャストコンクリート部材に関し、特に、高い剛性を備え、軽量化を図ることのできるハーフプレキャストコンクリート部材に関する。
【背景技術】
【０００２】
高剛性であり、かつ、軽量化を実現したハーフプレキャストコンクリート部材として、特許文献１に示される、横断面形状が凸曲状であるハーフプレキャストコンクリート部材が知られている。このハーフプレキャストコンクリート部材は、床版に作用する荷重が凸曲状の２次元平面内で分散されるため平板状のハーフプレキャストコンクリート部材に比べ、剛性を高めることが可能であると同時に、凸曲面の下方に空間が形成されるので、床版の軽量化を図ることが可能である。
【発明の開示】
【発明が解決しようとする課題】
【０００３】
しかしながら、かかるハーフプレキャストコンクリート部材は剛性を高く保つためには、凸曲面の曲率半径を大きくとる必要があり、凸曲面高が大きくなる結果、床版も厚くならざるを得ないという問題がある。
【０００４】
また、長手方向断面が常に凸曲面で一定であるため、床版を形成する現場打ちコンクリートの厚さが変化せず、床版上での音が階下に伝搬しやすいという問題もある。
【特許文献１】特開平６−４９９３６号公報
【０００５】
そこで本発明は、これら問題点を解決することのできる、高い剛性を備え、軽量化を図ることのできるハーフプレキャストコンクリート部材を提供することを課題とする。
【課題を解決するための手段】
【０００６】
本発明に係るハーフプレキャストコンクリート部材は、主筋が埋設された、平面視形状が四角形のコンクリート板と、一部が前記コンクリート板に埋設され、残部が前記コンクリート板の上面から露出している、前記主筋に結合された複数のトラス筋とを含み、前記コンクリート板は、上方へ尖った縦断面形状となるよう、前記四角形の各辺を底辺とした４つの三角形の面をそれぞれ連接してなる上面と、下面とを有する。
【０００７】
また、前記四角形は長方形であり、前記主筋は、前記長方形の長手方向に向けられており、また前記主筋の少なくとも１本は、前記４つの三角形の上面のうちの前記長方形の長辺を底辺とした２つの三角形の面のそれぞれの下方に配置されている、とすることができる。
【発明の効果】
【０００８】
本願に係るハーフプレキャストコンクリート部材によれば、上方へ尖った縦断面形状となるよう、前記四角形の各辺を底辺とした４つの三角形の面をそれぞれ連接してなる上面を有するので、床版に作用する荷重は前記三角形の連接する４つの辺の方向へそれぞれ分散されることとなる。したがって、従来の凸曲状の２次元平面内で分散される場合、すなわち２つの方向へ分散される場合と比較して、分散の方向数が増えるので、上方への突出高さを従来ほど長くとらなくとも高い剛性を確保でき、床版を薄く、同時に軽量化することができる。
【０００９】
また、長手方向の縦断面形状が一定ではないため、床版を形成する現場打ちコンクリートの厚さも変化することとなり、床版上での音が階下に伝播しにくくなる。
【発明を実施するための最良の形態】
【００１０】
以下、本願に係る発明の実施例を図１〜５を参照にして詳細に説明する。図中、同一の構成部材には同一の符号を付してある。
【００１１】
図１は、本願に係るハーフプレキャストコンクリート部材の第１実施例を示す断面斜視図、図２はその平面図、図３は図１に記した切断線での断面図である。
【００１２】
本実施例におけるハーフプレキャストコンクリート部材１０は、図１に示されるようにコンクリート板１２と、コンクリート板１２に埋設されている主筋１４と、コンクリート板１２に一部が埋設されているトラス筋１６とを含んでいる。
【００１３】
コンクリート板１２は、図２に示されるように、平面形状が長方形１８を呈しており、上面および下面は、長方形の対角線の交点２０に向かうように上方へ隆起している。すなわち、コンクリート板１２の上面および下面は、長方形１８の各辺を底辺とした４つの三角形（１８ａ、１８ｂ、１８ａ、１８ｂ）を斜め上方に傾けた状態で互いに連接されている。
【００１４】
本実施例では、コンクリート板１２の上下の両面ともに、上方へ隆起しているが、変形例として、上面のみを上方へ隆起させ、下面は平面形状とすることもできる。本実施例のように、上下面ともに上方へ隆起させた場合は、下方に空間を形成することができるので、床版の軽量化をより向上させることができる。
【００１５】
コンクリート板１２には鉄筋群２２が載置されている。この鉄筋群２２は、コンクリート板に埋設されている主筋１４と、コンクリート板１２から露出した位置に主筋と並行に配置されている上弦筋２４と、これら主筋１４と上弦筋２４とを連結するトラス筋１６とを一体的に連結してなる。
【００１６】
鉄筋群２２は、長方形１８の長手方向に配置されている。また、三角形のそれぞれの上面（１８ａ、１８ｂ、１８ａ、１８ｂ）に１つの鉄筋群２２が配置されている。
【００１７】
本実施例では、全ての三角形の面に鉄筋群２２を１本ずつ配置しているが、必要に応じて鉄筋群の配置数を増減させることができる。例えば、使用する鉄筋量を極力減少させた変形例として、長方形１８の長辺を底辺とする三角形１８ａの面内にのみ鉄筋群２２を１つずつ配置させることもできる。
【００１８】
また、鉄筋量を増加させた変形例として、図４に示されるように鉄筋を配置させることができる。すなわち、鉄筋群２２と直交し、長方形１８の短辺と平行に伸びる鉄筋群２３を必要に応じて適当な本数配置させることができる。本変形例では、長方形１８の短辺を底辺とする三角形１８ｂの面内に鉄筋群２３を２つずつ配置させている。
【００１９】
本実施例のハーフプレキャストコンクリート部材１０によれば、上方へ尖った縦断面形状となるよう、長方形の各辺を底辺とした４つの三角形の面をそれぞれ連接してなる上面を有するので、床版に作用する荷重が、長方形の交点２０から伸びる４つの方向、すなわち、三角形が連接する４つの辺の方向へそれぞれ分散されるため、上方への突出高さを従来ほど長くとることなく高い剛性を確保でき、床版を薄くすることができる。
【００２０】
また、長手方向の縦断面形状が一定ではなく、図３に示されるように変化するため、ハーフプレキャストコンクリート部材１０の上部に打設され床版を形成する現場打ちコンクリートの厚さも変化することとなり、床版上での音が階下に伝播しにくくなる。
【００２１】
図５は、本願に係るハーフプレキャストコンクリート部材の第２実施例を示す平面図である。図示しないが、斜線で示される領域に複数本の鉄筋を埋め込んである、もしくは、繊維補強コンクリートを打ち分けてある。斜線で示される領域とはすなわち、長方形１８の長辺および短辺のそれぞれの辺の全長のうち外側４分の１の辺部分で囲まれる領域である。この領域は、ハーフプレキャストコンクリート板１２を床版に適用するさい、引張力が大きく作用するので、この領域に鉄筋を埋め込む、ないしは、繊維補強コンクリートを打ち分けることにより、引張力に対する抵抗性が上がり、ハーフプレキャストコンクリート板の耐力が向上する。
【００２２】
以上、本願に係るハーフプレキャストコンクリート部材について、その実施例に基づき説明してきたが、本発明は上記実施例に記載した構成に限定されるものではなく、その趣旨を逸脱しない範囲において適宜その構成を変更できるものである。
【図面の簡単な説明】
【００２３】
【図１】本願の第１実施例であるハーフプレキャストコンクリート部材を示す断面斜視図。
【図２】図１に示したハーフプレキャストコンクリート部材の平面図。
【図３】図２に示した切断線での断面図。
【図４】図２に示したハーフプレキャストコンクリート部材における鉄筋群の変形例を示す平面図。
【図５】本願の第２実施例であるハーフプレキャストコンクリート部材の平面図。
【符号の説明】
【００２４】
１０              ハーフプレキャストコンクリート部材
１２              コンクリート板
１４              主筋
１６              トラス筋
１８              長方形
１８ａ、１８ｂ    三角形
【図１】
2009221682.tif 000003
【図２】
2009221682.tif 000004
【図３】
2009221682.tif 000005
【図４】
2009221682.tif 000006
【図５】
2009221682.tif 000007